(57)【要約】【課題】  高さ調整機能を有する点検口引掛け材を使って下部を引掛け、上部をストライカとマグネットラッチにより係止することにより、把手を使用せずに、また前面板を上にずらすためのスペースを必要とせず取り外し可能な前面板取付構造を提供し、意匠性に優れた配管ユニットを提供することを可能とする。  【解決手段】  本発明では、配管類を収納するフレームと、前記フレームに取り付けられる前面パネルと、前記前面パネルの一端に取り付けられた係合金具と、前記フレームの前記係合金具と対応する位置に取り付けられる係合受け具とを備え、前記前面パネルの係合金具とは逆の一端にストライカを、前記フレームの前記ストライカと対応する位置にマグネットラッチを取り付けていることを特徴とする前面パネル取付構造を提供する。【選択図】  図１
2010203198.tif 000002
【特許請求の範囲】
【請求項１】
配管類を収納するフレームと、
前記フレームに取り付けられる前面パネルと、
前記前面パネルの一端に取り付けられた係合金具と、
前記フレームの前記係合金具と対応する位置に取り付けられる係合受け具と、を備え、
前記前面パネルの係合金具とは逆の一端にストライカを、
前記フレームの前記ストライカと対応する位置にプッシュラッチを取り付けていることを特徴とする前面パネル取付構造
【請求項２】
前記係合金具が高さ調整機能を有することを特徴とする請求項１に記載の前面パネル取付構造
【請求項３】
前記ストライカが金属片からなり、
前記プッシュラッチがマグネットラッチであることを特徴とする請求項１乃至２の何れか一項に記載の前面パネル取付構造
【請求項４】
点検口引掛け材後部の立下り寸法が、点検口受け材にかかるのに十分な寸法であり、点検口を開いた状態でも、点検口引掛け材の一部が点検口受け材に係止している状態を維持しすることを特徴とする請求項１乃至４の何れか一項に記載の前面パネル取付構造
【請求項５】
前記前面パネルが、上下２分割になっており、下部前面パネルが着脱できることを特徴とする請求項１乃至４の何れか一項に記載の前面パネル取付構造
【請求項６】
請求項１乃至５の何れか一項に記載の前面パネル取付構造を利用した配管ユニット
【発明の詳細な説明】
【技術分野】
【０００１】
本発明は、前面板の取り付け構造に係り、特に把手を必要とせずに、隙間なく取り付けることが可能な前面の取付構造に関する発明である。 
【背景技術】
【０００２】
従来、壁面に衛生器具などを取り付ける場合に、形鋼で箱型のフレームを構成し、このフレームの内部に給・排水管を収納し、フレームの上部をカウンタ、そして前面を化粧板を兼ねた前面板で塞ぐ、配管ユニットと呼ばれる構造を採用したものが知られている。
このとき、前面板を金具同士の係止によって取り付ける構造が知られている。そのような構造として、特許文献１や特許文献２のようなものが知られている。
【０００３】
このような配管ユニットでは、給・排水管のメンテナンス時には前板を取り外す必要が生じる。このとき、前面板の取付構造として上記のような構造を採用した場合、前板をとりはずす場合に、一度前板を上に持ち上げてから前面に引き抜くといった作業が必要となる。このため、前面板を取り外し可能に取り付ける場合には、特許文献２の図３、図７に示されているように前面板の上部に空間を設け、カウンターをたち下げることによる空間の隠蔽が行われてきた。
【０００４】
一方で、配管ユニットに壁掛の洗面器などを取り付ける場合、当然ながら前面板は配管ユニットに対して固定されている必要がある。したがってそのような場合に取付られる前面板は、壁掛洗面器が固定される「上部」と、その下に位置する「下部」に分けて取り付ける仕様となる。下部を取り外し可能にしようとした場合、上部に存在している固定前面板との間に、下部の前面板を持ち上げ、取付金具を本体側から外すための隙間を設ける必要が生じるが、カウンター下の場合と異なり、この隙間を隠蔽する手段がないことから、配管ユニット前面の意匠性を損ねるといった問題があった。
【０００５】
また、配管ユニットなどの点検口蓋を開閉する際に、特許文献３に開示されているようにマグネットを利用するものがあった。この場合、点検口蓋を取り外す際に点検口蓋をずらす必要がなく、上記のような空間を設ける必要がなくなるが、マグネットの磁力による吸着力を超える引張り力で点検口を引き出すために、点検口蓋に把手を設ける必要があり、意匠性を損ねる問題が存在した。
【先行技術文献】
【特許文献】
【０００６】
【特許文献１】実公昭６１−４２４８０号公報
【特許文献２】特開平８−１７０４２４号公報
【特許文献３】特開２００８−２９１４２４号公報
【発明の概要】
【発明が解決しようとする課題】
【０００７】
本発明は、上記問題を解決するためになされたもので、本発明の課題は、把手を使用せずに、また前面板を上にずらすためのスペースを必要とせず取り外し可能な前面板取付構造を提供し、意匠性に優れた配管ユニットを提供することである。
【課題を解決するための手段】
【０００８】
上記目的を達成するための本発明の一態様によれば、配管類を収納するフレームと、  前記フレームに取り付けられる前面パネルと、前記前面パネルの一端に取り付けられた係合金具と、前記フレームの前記係合金具と対応する位置に取り付けられる係合受け具とを備え、前記前面パネルの係合金具とは逆の一端にストライカを、前記フレームの前記ストライカと対応する位置にプッシュラッチを取り付けていることを特徴とする前面パネル取付構造が提供される。
【発明の効果】
【０００９】
本発明によれば、前面パネルの取り外し時に前面パネルを上にずらす必要がないため、前面パネルの周辺に隙間が必要なく、また前面パネルを押し込むことで開放できるために把手が不要となり、前面パネルの外観の意匠性に優れた前面パネル取付構造が提供される。
【図面の簡単な説明】
【００１０】
【図１】本発明の前面パネル取付構造による配管ユニットを示す斜視図である。
【図２】本発明の配管ユニットの裏側から見た点検口部を示す斜視図である。
【図３】本発明の点検口引掛け材を示す斜視図である。
【図４】本発明の構成部材であるプッシュラッチを示す斜視図である。
【図５】本発明の器具下前面パネルが係止されている状態を示す正面図、及び側面図である。
【図６】本発明のパネル着脱の様子を示す側面図である。
【図７】本発明のパネル着脱時の点検口受け材係止の状態を示す側面図である。
【発明を実施するための形態】
【００１１】
第一の発明は配管類を収納しするフレームと、  前記フレームに取り付けられる前面パネルと、前記前面パネルの一端に取り付けられた係合金具と、前記フレームの前記係合金具と対応する位置に取り付けられる係合受け具と、を備え、前記前面パネルの係合金具とは逆の一端にストライカを、前記フレームの前記ストライカと対応する位置にプッシュラッチを取り付けていることを特徴とする前面パネル取付構造である。
この前面パネル取付構造によれば、前面パネルの取り外し時に前面パネルをずらす必要がないため、前面パネルの周辺に隙間が必要なく、また前面パネルを押し込むことで開放できるために把手が不要となり、前面パネルの外観の意匠性に優れた前面パネル取付構造が提供される。
【００１２】
第２の発明は、第１の発明において、前記係合金具が高さ調整機能を有することを特徴とする前面パネル取付構造である。
この前面パネル取付構造によれば、前面パネルの高さおよび傾きの調整が可能となり、さらに意匠性に優れた前面パネル取付構造が提供される。
【００１３】
第３の発明は、第一または第二の発明において、前記ストライカが金属片からなり、前記プッシュラッチがマグネットラッチであることを特徴とする前面パネル取付構造である。
この前面パネル取付構造によれば、マグネットラッチの磨耗、消耗を防ぎ、長期間の使用を可能とする。マグネットラッチのマグネットによる吸着力を超える勢いで前面パネルが前方へ出る、あるいは、マグネットから完全に離脱しなくても、パネルの厚み分以上前方へ出るだけで、あとは手を使って引き出すきっかけとなるため、いずれの方法でも取っ手を設けることなく、すっきりした意匠で前面パネルを納めることができる。  
【００１４】
第４の発明は、点検口引掛け材後部の立下り寸法が、点検口受け材にかかるのに十分な寸法であり、点検口を開いた状態でも、点検口引掛け材の一部が点検口受け材に係止している状態を維持することを特徴とする前面パネル取付構造である。
この前面パネル取付構造によれば、点検口を開放し場合にも、前面パネルが自然落下してしまうことがない。
【００１５】
第５の発明は、前記前面パネルが、上下２分割になっていることを特徴とする前面パネル取付構造である。
この前面パネルによれば、上部のパネルに洗面器などを取り付けることが可能となる。
【００１６】
第６の発明は、第１〜第５の発明の前面パネル取付構造を利用した配管ユニットである。
この配管ユニットによれば、メンテナンス性に優れながら意匠性に優れた配管ユニットが提供される。
【実施例】
【００１７】
以下に、本発明の実施例を図を用いて説明する。
図１は配管ユニット１の全体を示す。配管ユニット１には器具裏前面パネル２と、取り外すことによって配管ユニット１内部の点検が可能な、器具下前面パネル３が取付けられている。両側にも着脱可能な両側前面パネル４があり、配管ユニット１の間口に応じて適切な幅で設計、納入される。
【００１８】
図２に器具下全面パネル３を配管ユニット１内部から見た図を示す。器具下前面パネル３は、パネル本体５と、点検口引掛け材６と、ストライカ７から構成される。  器具下前面パネル３を取り付ける際には、先ず点検口引掛け材６を配管ユニットに備え付けられている点検口受け材９に係止させる。
【００１９】
点検口引掛け材は、調整ねじ１１を回すことによって、点検口受け材９に係止されている高さを微調整することができる。またこれら点検口引掛け材は左右１箇所ずつ設けられている。これにより、引掛け材の高さのみならず左右の高さをもそれぞれ調整することで、左右への傾きも調整することが出来る。更に点検口受け材９は横架材になっているため、点検口引掛け材６を左右方向にスライドさせて微調整することが可能である。これらのことにより、建築誤差による床の不陸等で配管ユニット本体との位置関係を変更せざるを得ないときでも容易に変更できる。このような機能を使って、隣り合う前面板と適正な位置関係を保ち、摩擦を生じない程度に隙間のない状態でパネルを係止させる。
【００２０】
次に当該前面パネル３の上部を配管ユニット１に向かって押さえ、前面パネル３に設けられたストライカ７を、マグネットラッチ８に当てる。マグネットラッチ８は、固定金具１０を介して配管ユニットの柱に固定されている。
なお、本実施例ではマグネットラッチを用いたが、プッシュラッチであれば例えば機械式のものであっても同様の効果を得ることができる。
【００２１】
尚当該マグネットラッチ８は、既に公知であるが、図４に示すようにマグネットがセットされたインサート部を１回押すと、押された状態を維持し、再度押すと突出する。また、先端のマグネット部分を回転させることにより、前出寸法を微調整するようになっており、これも公知である。これらの機能を使い、マグネットラッチ８のインサート部が押された状態で器具下前面パネルが取り付いた状態を保てるようにし、かつマグネットラッチ８の前出調整機能を使って、隣り合う前面板との面段差が生じないようにする。
【００２２】
図５に、器具下全面パネル３が装着された状態の配管ユニット１の前面、及び断面を示す。
通常、洗面器使用時は点検口を使用しないため、図のように、配管ユニット１に閉じた状態で係止され、すっきりした外観を保っている。
【００２３】
図６は配管ユニット１の点検口付近の断面図である。
点検口を外す際に当たっては、先ず器具下前面パネル３の上部を軽く押すと、前面パネル３裏側に当たっているマグネットラッチ８が押され、インサート部が突出して図に示すようにパネル本体５上部が前に出る。それと同時に、前面パネル３上部がマグネットの吸着力を上回る勢いにより、マグネットラッチ８から離れ、点検口引掛け材を軸に更に前に倒れる。その後、器具下前面パネル３の下端が幅木１２に当たり、取外し作業に適正な角度で止まる。
あるいは、前面パネル３がマグネットラッチ８から完全に離脱しなくても、パネルの厚み分以上前方へ出るので、あとは手を使って引き出してもよい。この状態の後、当該前面パネル３上部を持って引き上げることにより、容易に配管ユニット１からの取外しを行なう。
【００２４】
点検口引っ掛材６付近の拡大断面図を図７に示す。
点検口引掛け材６後部の立下り寸法が、点検口受け材９にかかるのに十分な寸法であり、点検口を開いた状態でも、点検口引掛け材６の一部が点検口受け材９に係止している状態を維持し、脱落することはなく、よって前面パネル３が、その開閉により自然落下することはない。
【符号の説明】
【００２５】
１…配管ユニット
２…器具裏前面パネル
３…器具下前面パネル
４…両側前面パネル
５…パネル本体
６…点検口引掛け材
７…ストライカ
８…マグネットラッチ
９…点検口受け材
１０…固定金具
１１…調整ねじ
１２…幅木
【図１】
2010203198.tif 000003
【図２】
2010203198.tif 000004
【図３】
2010203198.tif 000005
【図４】
2010203198.tif 000006
【図５】
2010203198.tif 000007
【図６】
2010203198.tif 000008
【図７】
2010203198.tif 000009